(57)【要約】【課題】平常時には重量物、家具等が容易に移動することを防止できるとともに地震時において想定外の横揺れが発生した場合でもその横揺れに十分に対応でき、更に、手等が挟まれてけがをすることを防止可能な除震装置を提供する。【解決手段】下側ベース（２）と、球体（３）を介して前記下側ベース（２）に重ねあわされた上側ベース（４）と、で構成され、前記下側ベース（２）は、平板状に構成されるとともにベース本体（２０１）と該ベース本体（２０１）の上面に装着した緩衝部材（２０２）を具備し、前記上側ベース（４）は、前記下側ベース（２）に対向する側が凹面（６）とされるとともに、該凹面（６）は、その頂点部分に形成した挿入孔（６０２）と、該挿入孔（６０１）内に挿装した、前記球体（３）の一部が当接可能な湾曲面（７０１）を有する固定部材（７）と、を具備したことを特徴とする。【選択図】図１
2007333146.tif 000002
【特許請求の範囲】
【請求項１】
下側ベース（２）と、球体（３）を介して前記下側ベース（２）の上方側に重ね合わされた上側ベース（４）と、で構成され、
前記下側ベース（２）は平板状に構成され、
前記上側ベース（４）は、前記下側ベース（２）に対向する側が凹面（６）とされるとともに、該凹面（６）は、その頂点部分に形成した挿入孔（６０２）と、該挿入孔（６０１）内に挿装した、前記球体（３）の一部が当接可能な湾曲面（７０１）を有する固定部材（７）と、を具備したことを特徴とする除震装置。
【請求項２】
前記凹面（６）を浅いすり鉢状又は円錐状に形成したことを特徴とする請求項１に記載の除震装置。
【請求項３】
前記固定部材（７）を樹脂により形成したことを特徴とする請求項１又は請求項２に記載の除震装置。
【請求項４】
前記下側ベース（２）が、ベース本体（２０１）と該ベース本体（２０１）の上面に装着した緩衝部材（２０２）とを具備したことを特徴とする請求項１乃至請求項３に記載の除震装置。
【請求項５】
前記緩衝部材（２０２）が、前記ベース本体（２０１）にコーティングしたフッ素樹脂であることを特徴とする請求項４に記載の除震装置。
【請求項６】
前記緩衝部材（２０２）が、ゴム製のプレートであることを特徴とする請求項４に記載の除震装置。
【請求項７】
前記緩衝部材（２０２）が、前記ベース本体（２０１）の表面全域に植毛した毛足の短い線材であることを特徴とする請求項４に記載の除震装置。
【発明の詳細な説明】
【技術分野】
【０００１】
本発明は地震の際における家具等の転倒を防止するための除震装置に係り、より詳しくは、平常時においては家具等が容易に動いてしまうことを防止可能であるとともに、地震時において想定外の揺れが発生した場合でも十分にその揺れに対応可能とした除震装置に関する。
【背景技術】
【０００２】
従来から、地震の際に、家具、薬品棚、スチール棚等の、転倒を防止する必要がある物（以下「家具等」という。）が転倒してしまうことを防止するために除震装置が提供されており、この除震装置の構成としては、例えば、凹面を備えた２個の支持部材を、球体を介して凹面が対向するようにして配置して構成したものが提供されている。
【０００３】
即ち、図１０は従来の除震装置３１を説明するための断面図であり、この従来の除震装置３１では、それぞれに凹面３２０１を有する２個の支持部材３２ａ、３２ｂを、それぞれの凹面３２０１が向かい合う形態で配置するとともに、各支持部材３２ａ、３２ｂ間には球体３３を介在させて構成されている。そして、この除震装置３１を使用する際には、下側の支持部材３２ｂを床面等に設置し、上側の支持部材３２ａ上に家具等を載置する。
【０００４】
そうすると、この状態で地震による横揺れが生じて下側の支持部材３２ｂが横に移動しても、図１１及び図１２に示すように、上側の支持部材３２ａは、球体３３上を転がりながら球体３３とともに下側の支持部材３２ｂに対して相対移動して、これにより地震による横揺れを吸収して家具等の転倒を防止することが可能となる。
【特許文献１】特開平１０−４６８６７号公報
【特許文献２】特開平１１−２９４５２３号公報
【特許文献３】特開２００３−２４７５８９号公報
【特許文献４】特開平１１−３２５１７８号公報
【特許文献５】特開２００２−２６６９３３号公報
【特許文献６】特開２００３−１９４１４５号公報
【発明の開示】
【発明が解決しようとする課題】
【０００５】
しかしながら、前述のような、球体３３を介して２個の支持部材３２ａ、３２ｂを上下に配置し、地震による横揺れが生じた際に上側の支持部材３２ａを下側の支持部材３２ｂに対して相対移動自在にした形態のものでは、平常時において、上側の支持部材３２ａ上に載置した家具等に少しの外力が加わった場合に、上側の支持部材３２ａが移動してしまうという問題点が指摘できる。
【０００６】
そして、その一方、それぞれに凹面３２０１を有する２個の支持部材３２ａ、３２ｂを上下に配置した形態では、地震による横揺れで下側の支持部材３２ｂが移動した際に、凹面３２０１の端部まで球体３３が来てしまった後は、図１１に示すように、それ以上は上側の支持部材３２ａは下側の支持部材３２ａに対しての相対移動ができなくなり、そのために、想定外の横揺れが発生した場合には、上側の支持部材３２ａは下側の支持部材３２ｂに引っ張られるようにして横方向へ移動してしまい、横揺れを吸収することができずに家具等が転倒してしまうおそれが考えられる。
【０００７】
また、それぞれに凹面３２０１を有する２個の支持部材３２ａ、３２ｂを上下に配置した形態では、図１２に示すように、上側の支持部材３２ａと下側の支持部材３２ｂの双方の両端に互いに対向する方向に向けた端部が形成されているため、下側の支持部材３２ｂが横移動の後に元の位置に復元しようとする際には、上側の支持部材３２ａの端部と下側の支持部材３２ｂの端部により剪断力が生じてしまい、この端部間に手、指、足等が挟まってしまった場合には切断されてしまうおそれが考えられる。特に大きな地震の場合には人等が転倒してしまうことは十分に考えられ、このような場合には除震装置の近傍に人が倒れてしまうこともあり得るため、下側の支持部材３２ｂが元の位置へ復元する際に、上側の支持部材３２ａの端部と下側の支持部材３２ｂの端部間に挟まってしまった手、指、足等が切断されてしまうことは十分に考えられることである。
【０００８】
そこで、本発明は、平常時においては家具等が容易に移動することを防止できるとともに、地震時において想定外の横揺れが発生した場合でもその横揺れに十分に対応でき、更に、横移動の後の復元の際に剪断力が生じてしまい人の手、指、足等が切断されてしまうことを防止可能な除震装置を提供することを課題としている。
【課題を解決するための手段】
【０００９】
本発明の除震装置は、下側ベースと、球体を介して前記下側ベースに重ねあわされた上側ベースと、で構成され、
前記下側ベースは平板状に構成され
前記上側ベースは、前記下側ベースに対向する側が凹面とされるとともに、該凹面は、その頂点部分に形成した挿入孔と、該挿入孔内に挿装した、前記球体の一部が当接可能な湾曲面を有する固定部材と、を具備したことを特徴としている。
【発明の効果】
【００１０】
本発明の除震装置では、球体を介して下側ベースと上側ベースとを重ね合わせた除震装置において、前記下側ベースを平板状に形成しているので、地震による横揺れによって、下側ベースが移動し、その後上側ベースの凹面における端部に球体が来てしまった場合において、更に強い横揺れが発生したときには、上側ベースは、球体を引きずりながら、下側ベースに対して相対移動して横揺れを吸収することができる。そのため、それにより、想定外の横揺れが発生した場合にでも家具等の転倒を防止することができる。
【００１１】
そしてそのとき、本発明の除震装置では、下側ベースを平板状にしており厚みを薄くすることができるので、これを大きく形成しても邪魔になることがないために、下側ベースを、想定外の横揺れに十分対応可能な大きさにすることができる。
【００１２】
そしてその一方、本発明の除震装置では、上側ベースに形成した凹面の頂点部分に挿入孔を形成するとともに、この挿入孔内に、前記球体の一部が当接可能な湾曲面を有する固定部材を挿装しているため、平常時においては球体の上部が固定部材の湾曲面に嵌り込み、家具等が容易に動いてしまうことを有効に防止することができる。
【００１３】
また、下側ベースを平板状に形成しているため、それぞれに凹面を有する２個の支持部材３２ａ、３２ｂをそれぞれの凹面３２０１が向かい合う形態で配置した場合と異なり、上側ベースの端部と下側ベース間に剪断力が生じることがなく、手、指、足等の切断事故を未然に防止することも可能である。
【発明を実施するための最良の形態】
【００１４】
本発明の除震装置では、下側ベースと、この下側ベースの上方に配置される上側ベースとを有しており、上側ベースは、球体を介して、前記下側ベース上に重ね合わされ、これにより、上側ベースは、球体上を転がりながら球体とともに下側ベース上を可動自在としている。
【００１５】
また、前記下側ベースは、平板状に構成しており、金属、樹脂等の剛性を有する素材により構成したベース本体と、このベース本体上に装着された、球体の転がり抵抗を調整するための緩衝部材とを具備しており、緩衝部材としては、前記ベース本体にコーティングしたフッ素樹脂や、ゴム製のプレートや、前記ベース本体の表面全域に植毛した毛足の短い繊維状線材が好ましく、その他、カーペット素材や絨毯素材をベース本体上に装着してもよい。
【００１６】
一方、前記上側ベースは、家具等が載置される平坦な上面と、前記下側ベースに向かい合うように配置される凹面とを有しており、凹面は、浅いすり鉢状や円錐状に形成される。
【００１７】
そして、前記凹面の頂点部分には挿入孔が形成しており、この挿入孔には、前記球体の一部が当接可能な湾曲面を有するとともに、上側ベース及び球体の素材とは異なる素材により形成された固定部材が挿装されており、平常時においては、この固定部材における湾曲面に球体の上部が当接し、これにより球体が容易には動かないようにしている。
【実施例１】
【００１８】
本発明の除震装置の実施例について図面を参照して説明すると、図１は本実施例の除震装置の構造を説明するための断面図であり、また、図４は本実施例の除震装置を平面から見た場合を示した図である。
【００１９】
そして、図において１が本実施例の除震装置であり、本実施例の除震装置１は、床面等に設置される下側ベースを有している。即ち、図において２が下側ベースであり、本実施例において前記下側ベース２は、平面形状を略四角形状とした平板状としている。
【００２０】
また、本実施例における前記下側ベース２は、床面等に当接させるベース本体２０１と、このベース本体２０１上に装着された緩衝部材２０２とで構成されている。そして、ベース本体２０１は、剛性を有する金属、樹脂等の素材により構成されており、一方、緩衝部材２０２は、本実施例においてはゴムにより構成している。
【００２１】
なお、前記下側ベース２の形状としては、必ずしも平面形状を略四角形状とする必要はなく、丸形等、いずれの形状としてもよい。
【００２２】
次に、前記下側ベース２における緩衝部材２０２上には、金属、樹脂等の剛性を有する素材で構成された球体が移動自在に設置されている。即ち、図において３が球体であり、本実施例においてこの球体３は、前記下側ベース２上を転がりながら自由に移動可能としている。
【００２３】
そして、前記球体３に支持されるようにして、前記下側ベース２の上方には、上側ベースが配置されている。ここで、前記上側ベースについて説明すると、図において４が上側ベースであり、本実施例においてこの上側ベース４は、全体を金属等の剛性を有する素材により形成し、平面形状を円形状にするとともに、その上面５は平坦に形成し、この上面５に、家具等を載置可能としている。
【００２４】
また、前記上側ベース４の下面は凹面６としており、具体的には、本実施例においては、上側ベース４の下面は浅いすり鉢状とした凹面６を形成しているとともに、周縁部には下側に突出させた縁部６０１を形成している。
【００２５】
なお、上側ベース４における上面は必ずしも平坦にする必要はなく、その上に載置する家具等の脚部等の形状に対応させて適宜にするとよい。
【００２６】
次に、図において７は固定部材である。即ち、本実施例における前記上側ベース４では、前記凹面６の頂点部分に固定部材７を挿装し、これにより、上側ベース４が容易には動かないようにしている。
【００２７】
ここで、前記固定部材７について説明すると、図２は前記固定部材７の近傍を示す断面図であり、本実施例において前記固定部材７は、全体を、前記上側ベース４の素材や球体３の素材とは異なる樹脂により形成しており、具体的には、上側ベース４の素材や球体３の素材よりも柔らかい素材により形成しており、その下面を湾曲面７０１とし、この湾曲面７０１は、前記球体３の上部近傍部分が密着して嵌り込むことが可能な形状としている。
【００２８】
そして、前記固定部材７は、前記凹面６の頂点部分に形成した挿入孔６０２内に着脱自在に挿装されているとともに、その挿装に際しては、前記湾曲面７０１の周縁部７０２が前記凹面６より下側にわずかに突出する形態としており、平常時においては、前記球体３の上部が前記湾曲面７０２に密着しつつ嵌り込む形態で、前記上側ベース４が球体３に支持されている。即ち、上側ベース４は、前記固定部材７を介して球体３に支持されている。そのため、これにより、上側ベース４上に載置した家具等に外力が加わった場合でも、家具等が容易には動かないようにしている。なお、前記固定部材７は必ずしも着脱自在にする必要はないが、着脱自在にすることで固定部材７のみを交換可能にすることができる。
【００２９】
次に、このように構成される本実施例の除震装置１の作用について説明すると、例えば、家具等の底部四隅と床面との間に本実施例の除震装置１を介在させた場合において、平常時には、前記球体３の上部が前記固定部材７の湾曲面７０２に密着しつつ嵌り込む形態で前記上側ベース４が球体３に支持されているため、また、前記固定部材７は球体３の素材より柔らかい素材により形成しており、金属製の球体３との関係では摩擦抵抗が大きいために、上側ベース４の上に載置した家具等に横方向への外力が加わった場合でも、上側ベース４は容易には動かず、従って、家具等が動くこともない。
【００３０】
一方、地震による横揺れが生じて、地面とともに下側ベース２が横方向に動いた場合には、前記球体３が固定部材７の湾曲面７０１より外れて、これにより、上側ベース４は、球体３上を転がりながら球体３とともに下側ベース２に対して相対移動をして横揺れを吸収し、即ち横方向へ移動せずに定位置を維持し、これにより上側ベース４上の家具等が転倒することを防止することができるとともに、上側ベース４における前記下側ベース２に対向する側を凹面６としているために、地震が収まった後には、球体３は上側ベース４における固定部材７の部分に復元する。
【００３１】
そして、このとき、本実施例の除震装置１においては、固定部材７における前記湾曲面７０１の周縁部７０２は前記凹面６より下側にわずかに突出する形態としているが、固定部材７の素材を球体３の素材よりも柔らかくしているために、地震による横揺れで球体３が固定部材７の湾曲面７０１より外れて横移動を繰り返す過程において、前記周縁部７０２は球体３により潰されるので、この周縁部７０２が球体３の移動の障害になることはない。
【００３２】
また、横揺れが激しく想定外の横揺れとなった場合において、前記上側ベース４における凹面６の縁部６０１部分に前記球体３が来てしまった場合は、それ以上は上側ベース４が球体３上を転がることはできないが、本実施例の除震装置１では、下側ベース２を平板状にしているため、前記縁部６０１部分に前記球体３が来てしまった場合は、図３において矢印で示すように、上側ベース４は、その縁部６０１で球体３を引きずりながら下側ベース２に対して相対移動することができ、これにより、想定外の横揺れの場合でも、上側ベース４は定位置を維持して横揺れを吸収することができる。従って、本実施例においては、前記下側ベース２の面積を前記上側ベース４の面積よりも広くしており、即ち、平常時の状態を平面で見た場合に、図４に示すように上側ベース４の周囲に下側ベース２が広がっているようにし、これにより、前記縁部６０１部分に前記球体３が来てしまった後でも、十分に上側ベース４が下側ベース２に対して相対移動可能としている。そしてそのとき、本実施例の除震装置１では、下側ベース２を平板状としており厚みを薄くすることができるので、下側ベース２を十分に大きくした場合でも歩行等の邪魔になることもない。
【００３３】
また、本実施例の除震装置１においては、前記下側ベース２を、床面等に当接させるベース本体２０１とこのベース本体２０１上に装着された緩衝部材２０２とで構成し、緩衝部材２０２上に前記球体３を設置することとしているため、球体３を保護して球体３が損傷することを防止できるとともに、緩衝部材２０２の素材を変えることによって球体３の転がり抵抗を調整し、球体３が下側ベース２上を転がることを許容しつつその速度に緩衝を加えることが可能であるため、下側ベース２に対する上側ベース４の相対移動の速度を調整することができる。
【００３４】
更に、下側ベース２を平板状にすることで、上側ベース４の縁部６０１と下側ベース２間に剪断力が生じてしまうことを防止しているため、上側ベース２が横移動から復元する際に、上側ベース４の縁部６０１と下側ベース２との間で手、指、足等が切断されてしまう事故を未然に防止することも可能である。
【００３５】
このように、本実施例の除震装置によれば、平常時において家具等に外力が加わった場合でも家具等が容易に動いてしまうことを有効に防止することができるとともに、想定外の横揺れが発生した場合でも家具等の転倒を防止することができ、更に、下側ベースが横移動から復元する際に上側ベースの端部と下側ベースとの間で手、指、足等が切断されてしまう事故を未然に防止することも可能である。
【００３６】
なお、前述の実施例では、下側ベース２における緩衝部材２０２をゴムにより構成した場合を説明したが、必ずしもゴムに限定されるものではなく、球体３の移動を許容しつつその移動に緩衝を加えることができる素材であればいずれでもよい。従って、例えば、図５で示すように、ベース本体２０１の表面全域に毛足の比較的短い繊維材を植毛して緩衝部材２０２を構成してもよく、あるいは、ベース本体２０１上にフッ素コーティングを施して緩衝部材を形成してもよく、更には、絨毯生地やカーペット生地、あるいは面ファスナー等をベース本体２０１上に装着して緩衝部材２０２を構成してもよい。
【００３７】
また、前記凹面６は、必ずしも浅いすり鉢状や円錐状に形成する必要もなく、球体３を介して上側ベースが移動自在であればいずれの形状としてもよい。更に、凹面６を浅いすり鉢状や円錐状に形成する場合においては、図７乃至図９に示すように、縁部６０１の近傍を他の部分に比較して強い湾曲状にするとよく、これにより、球体３が凹面６の縁部分に行くに従って動きが鈍くすることができ、これによっても球体３の動きに緩衝を加えて家具等が転倒してしまうことを防止することもできる。
【００３８】
更にまた、前述の実施例では、下側ベース２上に上側ベース４を１個のみ配置した場合を説明したが、例えば図６に示すように、下側ベース２の四隅にそれぞれ、球体を介して上側ベース４を配置してもよく、これによれば、家具等の底部四隅に除震装置を設置せず、一つの除震装置を家具等の底部に設置するのみで良くなり、装着が容易となる。
【産業上の利用可能性】
【００３９】
本発明の除震装置は、地震の際における家具等の転倒を防止可能であるとともに、平常時においては家具等が容易に動いてしまうことをも防止可能としているために、オフィス家具、自動販売機、ショーケース等の、事故防止等のために、地震による横揺れの際の転倒を防止するとともに平常時は確実に固定しておく必要がある重量物の全般に適用可能である。
【図面の簡単な説明】
【００４０】
【図１】本発明の除震装置の実施例の構造を示す断面図である。
【図２】本発明の除震装置の実施例における固定部材を説明するための断面図である。
【図３】本発明の除震装置の実施例の作用を説明するための図である。
【図４】本発明の除震装置の実施例の平面図である。
【図５】本発明の除震装置における緩衝部材の他の構成例を説明するための図である。
【図６】本発明の除震装置の他の構成例を説明するための図である。
【図７】本発明の除震装置における上側ベースの他の構成例を説明するための図である。
【図８】本発明の除震装置における上側ベースの他の構成例を説明するための図である。
【図９】本発明の除震装置における上側ベースの他の構成例を説明するための図である。
【図１０】従来の除震装置を説明するための図である。
【図１１】従来の除震装置を説明するための図である。
【図１２】従来の除震装置を説明するための図である。
【符号の説明】
【００４１】
１    除震装置
２    下側ベース
２０１    ベース本体
２０２    緩衝部材
３    球体
４    上側ベース
５    上側ベースの上面
６    上側ベースの凹面
６０１    凹面の縁部
６０２    凹面の頂点部分に形成した挿入孔
７    固定部材
７０１    固定部材の湾曲面
７０２    固定部材の周縁部
【図１】
2007333146.tif 000003
【図２】
2007333146.tif 000004
【図３】
2007333146.tif 000005
【図４】
2007333146.tif 000006
【図５】
2007333146.tif 000007
【図６】
2007333146.tif 000008
【図７】
2007333146.tif 000009
【図８】
2007333146.tif 000010
【図９】
2007333146.tif 000011
【図１０】
2007333146.tif 000012
【図１１】
2007333146.tif 000013
【図１２】
2007333146.tif 000014